(57)【要約】携帯情報処理装置（１）に、携帯情報処理装置（１）から電力供給を受ける外部装置（４）を接続した場合に、外部機器（４）を含めた携帯情報処理装置（１）の省電力化を実現する。携帯情報処理装置（１）に、外部装置（２）の電源状態に応じた動作モードを設定し、電源状態に応じて、設定された動作モードを外部機器（４）に通知する。このため、ユーザの好みに応じた電源状態による外部装置の動作モードを選択できる。又、外部機器（４）でも、携帯情報処理装置（１）の依頼でデータ処理を行っている時は、動作モード変更通知があっても、処理終了まで待たせる。このため、外部機器での動作を阻害せずに、動作モードを変更して、外部機器を含めた低消費電力動作を実現することができる。
2004111811.tif 000002
【特許請求の範囲】
【請求項１】
携帯情報処理装置から電力供給されて動作する外部機器を前記携帯情報処理装置に接続し、前記外部機器を低消費電力モードで動作する携帯情報処理装置の省電力化方法において、
前記携帯情報処理装置の電源状態を検出するステップと、
通常の動作モードと低消費電力の動作モードの内、前記電源状態に応じて設定された前記外部機器の動作モードを前記外部機器に通知するステップと、
前記外部機器において、現在の動作モードと前記通知された動作モードを比較するステップと、
前記現在の動作モードが前記通知された動作モードと異なる場合に、前記外部機器の実行中処理の終了を待って、前記外部機器において、前記通知された動作モードに変更するステップとを有する
ことを特徴とする携帯情報処理装置の省電力化方法。
【請求項２】
請求の範囲１の携帯情報処理装置の省電力化方法において、
通常の動作モードと低消費電力の動作モードの中から、前記電源状態に応じた動作モードを前記携帯情報処理装置に設定するステップを更に有する
ことを特徴とする携帯情報処理装置の省電力化方法。
【請求項３】
請求の範囲１の携帯情報処理装置の省電力化方法において、
前記電源状態を検出するステップは、前記携帯情報処理装置の電源が、ＡＣ給電であるか、電池給電であるかを検出するステップからなる
ことを特徴とする携帯情報処理装置の省電力化方法。
【請求項４】
請求の範囲１の携帯情報処理装置の省電力化方法において、
前記電源状態を検出するステップは、前記携帯情報処理装置の電源である電池の残容量を検出するステップからなる
ことを特徴とする携帯情報処理装置の省電力化方法。
【請求項５】
請求の範囲１の携帯情報処理装置の省電力化方法において、
前記外部機器が、前記携帯情報処理装置の通信端末であり、
前記動作モードは、比較的高速の通信速度の通常の動作モードと、比較的低速の通信速度の低消費電力動作モードである
ことを特徴とする携帯情報処理装置の省電力化方法。
【請求項６】
請求の範囲５の携帯情報処理装置の省電力化方法において、
前記外部機器が、前記携帯情報処理装置のスロットに挿入されるカード型通信端末である
ことを特徴とする携帯情報処理装置の省電力化方法。
【請求項７】
携帯情報処理装置と、前記携帯情報処理装置から電力供給されて動作する外部機器とを有し、
前記携帯情報処理装置は、
前記装置の電源状態を検出する電源状態監視部と、
通常の動作モードと低消費電力の動作モードの内、前記電源状態に応じて設定された前記外部機器の動作モードを前記外部機器に通知する処理ユニットとを有し、
前記外部機器は、
前記外部機器の現在の動作モードと前記通知された動作モードを比較し、前記現在の動作モードが前記通知された動作モードと異なる場合に、前記外部機器の実行中処理の終了を待って、前記通知された動作モードに変更する処理ユニットとを有する
ことを特徴とする携帯情報処理システム。
【請求項８】
請求の範囲７の携帯情報処理システムにおいて、
前記携帯情報処理装置は、
通常の動作モードと低消費電力の動作モードの中から、前記電源状態に応じた動作モードを前記処理ユニットに設定する手段を更に有する
ことを特徴とする携帯情報処理システム。
【請求項９】
請求の範囲７の携帯情報処理システムにおいて、
前記電源状態監視部は、前記携帯情報処理装置の電源が、ＡＣ給電であるか、電池給電であるかを検出する
ことを特徴とする携帯情報処理システム。
【請求項１０】
請求の範囲７の携帯情報処理システムにおいて、
前記電源状態監視部は、前記携帯情報処理装置の電源である電池の残容量を検出する
ことを特徴とする携帯情報処理システム。
【請求項１１】
請求の範囲７の携帯情報処理システムにおいて、
前記外部機器が、前記携帯情報処理装置の通信端末であり、
前記動作モードは、比較的高速の通信速度の通常の動作モードと、比較的低速の通信速度の低消費電力動作モードである
ことを特徴とする携帯情報処理システム。
【請求項１２】
請求の範囲１１の携帯情報処理システムにおいて、
前記外部機器が、前記携帯情報処理装置のスロットに挿入されるカード型通信端末である
ことを特徴とする携帯情報処理システム。
【発明の詳細な説明】
【技術分野】  本発明は、ノート型パーソナルコンピュータ等の携帯情報処理装置において、外部装置を接続した場合の携帯情報処理装置の省電力化方法及び携帯情報処理システムに関し、特に、ユーザの使用状況に応じて、省電力化する携帯情報処理装置の省電力化方法及び携帯情報処理システムに関する。
【背景技術】  近年、ノート型ＰＣ（パーソナルコンピュータ）やＰＤＡ（パーソナルデジタルアシスタント）等の携帯情報端末が普及し、屋外等のＡＣ給電の確保が困難な場所でのデータ通信（電子メール、インターネット接続）を行う要求が高まっている。
ノート型ＰＣやＰＤＡ等の携帯情報端末においては、それ自体の低消費電力化や電池容量向上の成果により、通常の外出利用においては支障のない程度の電池寿命を持つ製品も開発されている。
又、例えば、Ｍｉｃｒｏｓｏｆｔ社のＷｉｎｄｏｗｓ  ＯＳ（商品名）を搭載したノート型パーソナルコンピュータでは、電源状態（ＡＣ給電ｏｒ電池）によって、ＣＰＵの動作クロックや、デイスプレイ装置の輝度を変更する仕組みを設け、性能と電池寿命のバランスをユーザ設定に任せている。
一方、これらの情報端末に外部装置を接続する場合がある。例えば、情報端末を利用してデータ通信、特に無線通信を行う場合には、通信に必要な外部機器を接続する。この外部機器の消費電力が小さくなく、これらを含めた省電力化が必要となる。
従来、情報端末に接続される外部機器では、供給される電力の種類や、供給電力に応じて、動作モードを通常モードから省電力モード（一般的に、低速モード）に切り替える方法が、提案されている（例えば、特許文献１及び２）。
【特許文献１】  特開２００１−１４８１７３号公報（図１０等）
【特許文献２】  特開２００２−３６６７２号公報
しかしながら、従来の省電力化方法では、ハードディスクやプリンタ等の外部機器自体が、電力の種類や電力レベルに応じて、自動的に省電力モードに変更するため、情報端末のユーザにとって好ましくない事態が生じるおそれがある。例えば、ユーザが、通常モードを希望しているのに、自動的に低速モードに変更されてしまい、継続時間は伸びるものの、処理に時間がかかる。特に、外部機器に移動通信端末を使用する場合には、直ちに通信したいのに、低速モードにより通信時間が長くなる。
又、外部機器がかかる判断機能を持たず、携帯情報端末から指示で省電力モードに変更する場合には、外部機器が独立して動作している場合には、外部機器の処理を混乱させる原因となる。例えば、移動通信端末において、ネットワークからデータを受信中に、省電力モードの指示を受け、受信モードを低速にすると、データを正確に受信できなくなる。
【発明の開示】
従って、本発明の目的は、ユーザの使用状況に応じて、省電力モードと通常モードを選択でき、且つ外部機器の動作を邪魔することなく省電力化を実行するための携帯情報処理装置の省電力化方法及び携帯情報処理システムを提供することにある。
又、本発明の他の目的は、携帯情報処理装置に接続された外部機器が、他の機器と通信する装置において、装置の自動電源監視により、省電力モードが指示されても、外部機器の通信動作を阻害することを防止するための携帯情報処理装置の省電力化方法及び携帯情報処理システムを提供することにある。
更に、本発明の他の目的は、ユーザの使用状況に応じて、省電力モードと通常モードを選択でき、且つ外部機器の動作を邪魔することなく動作モードを変更するための携帯情報処理装置の省電力化方法及び携帯情報処理システムを提供することにある。
この目的の達成のため、本発明では、携帯情報処理装置から電力供給されて動作する外部機器を前記携帯情報処理装置に接続し、前記外部機器を低消費電力モードで動作する携帯情報処理装置の省電力化方法において、前記携帯情報処理装置の電源状態を検出するステップと、通常の動作モードと低消費電力の動作モードの内、前記電源状態に応じて設定された前記外部機器の動作モードを前記外部機器に通知するステップと、前記外部機器において、現在の動作モードと前記通知された動作モードを比較するステップと、前記現在の動作モードが前記通知された動作モードと異なる場合に、前記外部機器の実行中処理の終了を待って、前記外部機器において、前記通知された動作モードに変更するステップとを有する。
又、本発明の携帯情報処理システムでは、携帯情報処理装置と、前記携帯情報処理装置から電力供給されて動作する外部機器とを有し、前記携帯情報処理装置は、前記装置の電源状態を検出する電源状態監視部と、通常の動作モードと低消費電力の動作モードの内、前記電源状態に応じて設定された前記外部機器の動作モードを前記外部機器に通知する処理ユニットとを有し、前記外部機器は、前記外部機器の現在の動作モードと前記通知された動作モードを比較し、前記現在の動作モードが前記通知された動作モードと異なる場合に、前記外部機器の実行中処理の終了を待って、前記通知された動作モードに変更する処理ユニットとを有する。
本発明では、携帯情報処理装置に、携帯情報処理装置から電力供給を受ける外部装置を接続した場合に、携帯情報処理装置に、外部装置の電源状態に応じた動作モードを設定するため、ユーザの好みに応じた電源状態による外部装置の動作モードを選択できる。
又、外部機器でも、携帯情報端末の依頼でデータ処理を行っている時は、動作モード変更通知があっても、処理終了まで待たせるため、外部機器での動作を阻害せずに、動作モードを変更して、外部機器を含めた低消費電力動作を実現することができる。
又、本発明では、好ましくは、通常の動作モードと低消費電力の動作モードの中から、前記電源状態に応じた動作モードを前記携帯情報処理装置に設定するステップを更に有する。これにより、ユーザは、必要な時点で任意に、電源状態に応じた動作モードを設定、変更できる。
又、本発明では、好ましくは、前記電源状態を検出するステップは、前記携帯情報処理装置の電源が、ＡＣ給電であるか、電池給電であるかを検出するステップからなる。これにより、ＡＣと電池給電可能な携帯情報処理装置の電池駆動時の省電力化を実現できる。
又、本発明では、好ましくは、前記電源状態を検出するステップは、前記携帯情報処理装置の電源である電池の残容量を検出するステップからなる。これにより、電池駆動しても、省電力化が可能となり、長時間の動作を保証できる。
又、本発明では、好ましくは、前記外部機器が、前記携帯情報処理装置の通信端末であり、前記動作モードは、比較的高速の通信速度の通常の動作モードと、比較的低速の通信速度の低消費電力動作モードである。これにより、通信端末の動作を阻害せずに、即ち、携帯情報処理装置の通信を阻害せずに、外部機器を含めた省電力化が実現できる。
又、本発明では、好ましくは、前記外部機器が、前記携帯情報処理装置のスロットに挿入されるカード型通信端末である。これにより、軽量な情報処理装置の外出先でのデータ通信を電力消費を気にせずに実現できる。
【図面の簡単な説明】  図１は、本発明の一実施の形態の携帯情報処理装置の外観図である。
図２は、図１の装置の内部回路ブロック図である。
図３は、図２の携帯情報処理装置の動作モード変更処理フロー図である。
図４は、図３の外部機器の動作モードの設定画面の説明図である。
図５は、図２の外部機器の動作モード変更処理フロー図である。
図６は、図５の外部機器の動作モード実行処理フロー図である。
図７は、図６の動作モードの説明図である。
図８は、本発明の他の実施の形態の外部機器の動作モード設定の説明図ある。
【発明を実施するための最良の形態】  以下、本発明の実施の形態を、携帯情報処理装置、動作モード変更処理、他の実施の形態の順で説明する。
［携帯情報処理装置］
図１は、本発明の一実施の形態における携帯情報処理装置の外観図、図２は、図１の構成の内部ブロック図である。図１は、携帯情報処理装置として、ノート型パーソナルコンピュータ１を、外部機器として、この装置のスロットに挿入されるカード型データ通信端末２を例に示す。
図１に示すように、ノート型パーソナルコンピュータ１は、ベース３と、ベース３に折り畳み可能なカバー２とを有する。図１は、ノート型パーソナルコンピュータ１のカバー２を開放した状態を示す。カバー１には、液晶パネル等で構成されるデイスプレイ装置１０と、状態表示等のサブデイスプレイユニット１２とが設けられる。
一方、ベース３には、表面にキーボード１４と、フラットマウス／ポインタ１６とが設けられ、内部に図２で説明する各種回路が設けられる。ベース３の側面に設けられたＰＣカードスロットに、カード型データ通信端末（無線カード）４が挿入される。
図２に示すように、ノート型パーソナルコンピュータ１は、ＣＰＵ，ＲＡＭ，ＲＯＭを有する処理ユニット２０と、前述のデイスプレイ１０と、キーボード／マウス１４、１６と、ＡＣ電源ソケット３２と電池３０とを有する電源部２２と、電源部２２の電源状態を監視する電源状態監視回路２４と、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格の外部インタフェース制御回路２６と、これらを接続するバス２８とを有する。
一方、カード型データ通信端末４は、ＰＣＭＣＩＡインタフェース規格のＰＣインタフェース制御回路４０と、ＰＣインタフェース制御回路４０に接続された制御ユニット４２と、制御ユニット４４に接続された無線回路４４とを有する。
制御ユニット４２は、ＣＰＵ４３，ＲＡＭ４４，ＲＯＭ４５と、Ｉ／Ｏポート４６と、これらとＰＣインタフェース回路４０とを接続するバス４７で構成されている。無線回路４４は、変調回路５２と、復調回路５０と、分波／混合回路５４と、アンテナ５６とを有する。ＦＯＭＡ（Ｆｒｅｅｄｏｍ  Ｏｆ  Ｍｏｂｉｌｅ  Ｍｕｌｔｉｍｅｄｉａ  Ａｃｃｅｓｓ）（ＮＴＴドコモ、サービス名称）等のＷ−ＣＤＭＡ対応の無線通信を行う。又、ＣＤＭＡ，ＰＨＳ等に対応する無線方式のものでも良い。
ノート型パーソナルコンピュータ１とカード型データ通信端末４とは、ＰＣＭＣＩＡ規格のインタフェース５で接続され、ノート型パーソナルコンピュータ１からカード型データ通信端末４に、電力が供給される。又、カード型データ端末４は、動作クロックと通信速度を、ＣＰＵ４３の制御で変更できる。例えば、動作クロックとして、５０ＭＨｚと２５ＭＨｚとを選択でき、通信速度として、３８４ｋｂｐｓと６４ｋｂｐｓとを選択できる。
［動作モード変更処理］
次に、電源状態に応じて省電力化を行う動作モード変更処理を説明する。図３乃至図７は、電源監視回路２４および外部機器インタフェース制御回路２４を有するノート型パーソナルコンピュータ１とデータ通信機能を有する移動通信端末４を接続してデータ通信を行う場合の動作モード変更処理の説明図であり、図３は、ノート型パーソナルコンピュータ１の動作モード変更処理フロー図、図４は、そのユーザ設定画面の説明図である。
（Ｓ１０）動作モード設定を行うには、図４に示す動作モード設定ユーテイリテイを呼び出し、設定画面をデイスプレイ１０に表示する。この設定画面は、ＡＣ給電時のモードを、高速モード（通信速度３８４ｋｂｐｓ）と低消費電力モード（通信速度６４ｋｂｐｓ）とのいずれかに、又、バッテリ動作時のモードを、高速モード（通信速度３８４ｋｂｐｓ）と低消費電力モード（通信速度６４ｋｂｐｓ）とのいずれかに、マウス等で設定できる。
ＣＰＵ２０は、電源状態に応じて設定された動作モードをＲＡＭに格納する。図４の例では、ＡＣ給電時のモードを、高速モード（通信速度３８４ｋｂｐｓ）に、バッテリ動作時のモードを低消費電力モード（通信速度６４ｋｂｐｓ）に設定した例を示す。
（Ｓ１２）電源状態監視回路２４は、パーソナルコンピュータ１の電源状態（ＡＣ給電ｏｒ電池）を監視し、電源状態が変更になったことを検出した場合に、ＣＰＵ２０の本体制御部に通知を行う。
（Ｓ１４）ＣＰＵ２０は、図４に示したように、予めユーザが設定した電源状態／動作モードを呼び出し、この動作モードを、外部インタフェース制御回路２６を介し移動通信端末４へ通知する。そして、ステップＳ１２に戻る。
次に、移動通信端末（カード型データ通信端末）での動作モード変更処理を、図５乃至図７で説明する。図５は、カード型データ通信端末の動作モード変更処理フロー図、図６は、その通信処理フロー図、図７は、通信動作の説明図である。
（Ｓ２０）端末４の処理ユニット４２のＣＰＵ４３は、ＰＣインタフェース制御回路４０が、パーソナルコンピュータ１の外部インタフェース制御回路２６から動作モード変更通知を受けたかを判定する。
（Ｓ２２）ＰＣインタフェース制御回路４０が、動作モード変更通知を受けると、ＣＰＵ４３は、これを読出し、ＲＡＭ４４に格納された現在の動作モードと、通知された動作モードとを比較する。両動作モードが一致している場合には、動作モードを変更せずに、ステップＳ２０に戻る。
（Ｓ２４）両動作モードが一致していない場合には、ＣＰＵ４３は、動作モードの設定変更可能かを判定する。即ち、無線回路４４を使用した通信中かを判定する。ここで、無線通信は、パーソナルコンピュータ１からのデータをＲＡＭ４４に格納し、通信速度に従い、変調回路５２で変調して、無線送信し、アンテナで受信した受信信号を、通信速度に従い、復調回路５０で復調し、ＲＡＭ４４に格納後、パーソナルコンピュータ１に送信する。動作モードの設定変更が可能でない場合（通信中）には、設定変更が可能となる（通信終了）まで待つ。
（Ｓ２６）ＣＰＵ４３は、設定変更可能となったと判定すると、ＲＡＭ４４の動作モードを変更する。これにより、動作モードが変更される。例えば、低消費電力モードに切換える場合には、通信速度は、３８４ｋｂｐｓから６４ｋｂｐｓに、動作クロックは、５０ＭＨｚから２５ＭＨｚに設定変更される。
次に、この設定変更に伴う通信端末４の通信処理を、図６で説明する。
（Ｓ３０）ＣＰＵ３４は、通信開始に当たり、ＲＡＭ４４の動作モードを読み出し、通信制御パラメータが３８４ｋｂｐｓか否かを判定する。
（Ｓ３２）通信制御パラメータが３８４ｋｂｐｓである場合には、ＣＰＵ３４は、次の処理を行う。即ち、起動周期１０ｍｓｅｃで、パーソナルコンピュータ１からネットワークへのデータ転送では、パーソナルコンピュータ１からデータを受信し、４８０ｂｙｔｅ単位で無線フレーム化し、変調回路５２、分波／混合回路５４、アンテナ５６を介しネットワークに送信する。逆にネットワークからパーソナルコンピュータ１へのデータ転送では、ネットワークから無線フレームを、アンテナ５６、分波／混合回路５４、復調回路５０を介し受信し、４８０ｂｙｔｅ単位で無線フレームからデータを取り出し、ＰＣインタフェース制御回路４０介しパーソナルコンピュータ１に送信する。
（Ｓ３４）通信制御パラメータが３８４ｋｂｐｓでない場合（低消費電力モードで、６４ｋｂｐｓ）には、ＣＰＵ３４は、起動周期１０ｍｓｅｃで次の処理を行う。即ち、パーソナルコンピュータ１からネットワークへのデータ転送では、パーソナルコンピュータ１からデータを受信し、８０ｂｙｔｅ単位で無線フレーム化し、変調回路５２、分波／混合回路５４、アンテナ５６を介しネットワークに送信する。逆にネットワークからパーソナルコンピュータ１へのデータ転送では、ネットワークから無線フレームを、アンテナ５６、分波／混合回路５４、復調回路５０を介し受信し、８０ｂｙｔｅ単位で無線フレームからデータを取り出し、ＰＣインタフェース制御回路４０介しパーソナルコンピュータ１に送信する。
図７は、図６の高速モード（３８４ｋｂｐｓ）と低消費電力モード（６４ｋｂｐｓ）での単位時間あたりの動作を示す。ＣＰＵ４３は、送信では、データ組み立て（無線フレーム化）、送信制御を行うが、高速モードと低消費電力モードでは、単位時間当たりのソフト処理量が異なり、データ通信速度の低減により、消費電流を低減できる。
このように、本発明では、携帯情報処理装置に、携帯情報処理装置から電力供給を受ける外部装置を接続した場合に、携帯情報処理装置に、外部装置の電源状態に応じた動作モードを設定するため、ユーザの好みに応じた電源状態による外部装置の動作モードを選択できる。
例えば、前述のように、ＡＣ給電時のモードを、高速モード（通信速度３８４ｋｂｐｓ）に、バッテリ動作時のモードを低消費電力モード（通信速度６４ｋｂｐｓ）に設定した場合には、バッテリ動作時に外部機器を低消費電力モードで動作でき、携帯情報端末だけでなく、外部機器を含めた低消費電力動作を実現することができる。即ち、不必要な電力消費を押さえることにより、ユーザの利便性の向上に寄与できる。
一方、ＡＣ給電時のモードを、高速モード（通信速度３８４ｋｂｐｓ）に、バッテリ動作時のモードも高速モード（通信速度３８４ｋｂｐｓ）に設定した場合には、バッテリ動作時も外部機器を高速モードで動作でき、外部機器の処理（例えば、通信時間）を早くしたい場合等に有効である。
又、外部機器でも、携帯情報端末の依頼でデータ処理を行っている時は、動作モード変更通知があっても、処理終了まで待たせるため、外部機器での動作を阻害せずに、動作モードを変更して、外部機器を含めた低消費電力動作を実現することができる。
［他の実施の形態］
図８は、本発明の他の実施の形態の説明図であり、動作モード設定ユーテリテイ画面を示す。この例では、バッテリ駆動時又はバッテリのみで駆動する携帯情報端末において、バッテリ容量の残量に応じて、高速モード、低消費電力モードを設定できるようにしたものである。
これにより、バッテリ駆動時又はバッテリのみで駆動する携帯情報端末において、携帯情報端末だけでなく、外部機器を含めた低消費電力動作を実現することができる。
以上、本発明を実施の形態により説明したが、本発明の趣旨の範囲内において、本発明は、種々の変形が可能であり、これらを本発明の技術的範囲から排除するものではない。
例えば、携帯情報処理装置として、ノート型パーソナルコンピュータで説明したが、ＰＤＡ等の他の携帯電子装置に適用できる。又、外部機器をカード型データ通信端末で説明したが、他のカード型等の外部機器にも適用できる。更に、動作モードを、高速モードと低消費電力モードとの２種類で説明したが、これらの中間のモードを設ける等、複数の動作モードとしても良い。
【産業上の利用可能性】  本発明では、携帯情報処理装置に、携帯情報処理装置から電力供給を受ける外部装置を接続した場合に、携帯情報処理装置に、外部装置の電源状態に応じた動作モードを設定するため、ユーザの好みに応じた電源状態による外部装置の動作モードを選択できる。
又、外部機器でも、携帯情報端末の依頼でデータ処理を行っている時は、動作モード変更通知があっても、処理終了まで待たせるため、外部機器での動作を阻害せずに、動作モードを変更して、外部機器を含めた低消費電力動作を実現することができる。
【図１】
2004111811.tif 000003
【図２】
2004111811.tif 000004
【図３】
2004111811.tif 000005
【図４】
2004111811.tif 000006
【図５】
2004111811.tif 000007
【図６】
2004111811.tif 000008
【図７】
2004111811.tif 000009
【図８】
2004111811.tif 000010
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
携帯情報処理装置から電力供給されて動作する外部機器を前記携帯情報処理装置に接続し、前記外部機器を低消費電力モードで動作する携帯情報処理装置の省電力化方法において、
前記携帯情報処理装置の電源状態を検出するステップと、
通常の動作モードと低消費電力の動作モードの内、前記電源状態に応じて設定された前記外部機器の動作モードを前記外部機器に通知するステップと、
前記外部機器において、現在の動作モードと前記通知された動作モードを比較するステップと、
前記現在の動作モードが前記通知された動作モードと異なる場合に、前記外部機器の実行中処理の終了を待って、前記外部機器において、前記通知された動作モードに変更するステップとを有する
ことを特徴とする携帯情報処理装置の省電力化方法。
【請求項２】
請求項１の携帯情報処理装置の省電力化方法において、
通常の動作モードと低消費電力の動作モードの中から、前記電源状態に応じた動作モードを前記携帯情報処理装置に設定するステップを更に有する
ことを特徴とする携帯情報処理装置の省電力化方法。
【請求項３】
請求項１の携帯情報処理装置の省電力化方法において、
前記電源状態を検出するステップは、前記携帯情報処理装置の電源が、ＡＣ給電であるか、電池給電であるかを検出するステップからなる
ことを特徴とする携帯情報処理装置の省電力化方法。
【請求項４】
請求項１の携帯情報処理装置の省電力化方法において、
前記電源状態を検出するステップは、前記携帯情報処理装置の電源である電池の残容量を検出するステップからなる
ことを特徴とする携帯情報処理装置の省電力化方法。
【請求項５】
請求項１の携帯情報処理装置の省電力化方法において、
前記外部機器が、前記携帯情報処理装置の通信端末であり、
前記動作モードは、比較的高速の通信速度の通常の動作モードと、比較的低速の通信速度の低消費電力動作モードである
ことを特徴とする携帯情報処理装置の省電力化方法。
【請求項６】
請求項５の携帯情報処理装置の省電力化方法において、
前記外部機器が、前記携帯情報処理装置のスロットに挿入されるカード型通信端末である
ことを特徴とする携帯情報処理装置の省電力化方法。
【請求項７】
携帯情報処理装置と、前記携帯情報処理装置から電力供給されて動作する外部機器とを有し、
前記携帯情報処理装置は、
前記装置の電源状態を検出する電源状態監視部と、
通常の動作モードと低消費電力の動作モードの内、前記電源状態に応じて設定された前記外部機器の動作モードを前記外部機器に通知する処理ユニットとを有し、
前記外部機器は、
前記外部機器の現在の動作モードと前記通知された動作モードを比較し、前記現在の動作モードが前記通知された動作モードと異なる場合に、前記外部機器の実行中処理の終了を待って、前記通知された動作モードに変更する処理ユニットとを有する
ことを特徴とする携帯情報処理システム。
【請求項８】
請求項７の携帯情報処理システムにおいて、
前記携帯情報処理装置は、
通常の動作モードと低消費電力の動作モードの中から、前記電源状態に応じた動作モードを前記処理ユニットに設定する手段を更に有する
ことを特徴とする携帯情報処理システム。
【請求項９】
請求項７の携帯情報処理システムにおいて、
前記電源状態監視部は、前記携帯情報処理装置の電源が、ＡＣ給電であるか、電池給電であるかを検出する
ことを特徴とする携帯情報処理システム。
【請求項１０】
請求項７の携帯情報処理システムにおいて、
前記電源状態監視部は、前記携帯情報処理装置の電源である電池の残容量を検出する
ことを特徴とする携帯情報処理システム。
【国際調査報告】
2004111811.tif 000011
2004111811.tif 000012